(57)【要約】【課題】撮像素子の撮像面の位置決め作業の容易化を図り製造コストを削減する上で有利な固体撮像装置、レンズ鏡筒および撮像装置を提供する。【解決手段】固体撮像装置６０は、パッケージ６２と、収容凹部６４と、撮像素子６６と、撮像面６７と、カバーガラス６８とを含んで構成されている。撮像素子６６の撮像面６７は、撮像素子６６が底部６４０４に取着された状態で開口６４０２に臨んでいる。カバーガラス６８は、均一な厚さの矩形板状を呈し厚さ方向の両端に上面６８０２と下面６８０４を有し、パッケージ６２の上面６２０２に接着剤で取着され開口６４０２を閉塞し、撮像素子６６を封止している。カバーガラス６８の上面６８０２は、撮像面６７と平行し、また、カバーガラス６８の輪郭をなす４辺は撮像面６７の輪郭をなす４辺と互いに平行している。【選択図】        図１
2006262072.tif 000002
【特許請求の範囲】
【請求項１】
上面を有するパッケージと、
前記パッケージに形成され前記上面に開口を有する収容凹部と、
前記収容凹部の底部に取着された撮像素子と、
前記撮像素子に設けられ平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバーガラスとを有する固体撮像装置であって、
前記カバーガラスの上面は、前記撮像面と平行している、
ことを特徴とする固体撮像装置。
【請求項２】
上面を有するパッケージと、
前記パッケージに形成され前記上面に開口を有する収容凹部と、
前記収容凹部の底部に取着された撮像素子と、
前記撮像素子に設けられ矩形状の平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバーガラスとを有する固体撮像装置であって、
前記カバーガラスは、その輪郭をなす４辺が前記撮像面の輪郭をなす４辺と互いに平行している、
ことを特徴とする固体撮像装置。
【請求項３】
上面を有するパッケージと、
前記パッケージに形成され前記上面に開口を有する収容凹部と、
前記収容凹部の底部に取着された撮像素子と、
前記撮像素子に設けられ矩形状の平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバーガラスとを有する固体撮像装置であって、
前記カバーガラスの上面は、前記撮像面と平行し、かつ、前記カバーガラスの輪郭をなす４辺は前記撮像面の輪郭をなす４辺と互いに平行している、
ことを特徴とする固体撮像装置。
【請求項４】
前記カバーガラスの中心と前記撮像面の中心とは合致していることを特徴とする請求項１、２または３記載の固体撮像装置。
【請求項５】
前記カバーガラスの上面と下面を接続する４つの側面は、前記上面と直交していることを特徴とする請求項１、２または３記載の固体撮像装置。
【請求項６】
上面を有するパッケージと、
前記パッケージに形成され前記上面に開口を有する収容凹部と、
前記収容凹部の底部に取着された撮像素子と、
前記撮像素子に設けられ矩形状の平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバー部材と、
前記カバー部材に埋め込み固定され被写体像を前記撮像面に導くカバーガラスとを有する固体撮像装置であって、
前記カバー部材には、前記カバー部材に対する前記撮像面の位置を特定する位置決め部が設けられている、
ことを特徴とする固体撮像装置。
【請求項７】
前記カバー部材の上面と前記撮像面は平行していることを特徴とする請求項６記載の固体撮像装置。
【請求項８】
前記カバーガラスは厚さ方向の両端に上面と下面を有し、前記カバーガラスの上面は前記カバー部材の上面に臨ませて配置され、前記カバーガラスの上面と前記カバー部材の上面は平行していることを特徴とする請求項６記載の固体撮像装置。
【請求項９】
前記位置決め部は、前記カバーガラスの両側の前記カバー部材箇所に設けられた凹部であることを特徴とする請求項６記載の固体撮像装置。
【請求項１０】
前記位置決め部は、前記カバーガラスの両側の前記カバー部材箇所に設けられた凸部であることを特徴とする請求項６記載の固体撮像装置。
【請求項１１】
上面を有するパッケージと、
前記パッケージに形成され前記上面に開口を有する収容凹部と、
前記収容凹部の底部に取着された撮像素子と、
前記撮像素子に設けられ矩形状の平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバー部材と、
前記カバー部材に埋め込み固定され被写体像を前記撮像面に導くカバーガラスとを有する固体撮像装置であって、
前記カバー部材は、その輪郭をなす４辺が前記撮像面の輪郭をなす４辺と互いに平行している、
ことを特徴とする固体撮像装置。
【請求項１２】
前記カバー部材の上面と前記撮像面は平行していることを特徴とする請求項１１記載の固体撮像装置。
【請求項１３】
厚さ方向の両端に上面および下面を有するとともに前記上面と下面を接続する側面を有するパッケージと、
前記パッケージに形成され前記上面に開口を有する収容凹部と、
前記収容凹部の底部に取着された撮像素子と、
前記撮像素子に設けられ平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバーガラスとを有する固体撮像装置であって、
前記パッケージの側面に、前記パッケージに対する前記撮像面の位置を特定する位置決め部が設けられている、
ことを特徴とする固体撮像装置。
【請求項１４】
被写体像を導く光学系が組み込まれた鏡筒と、
前記鏡筒に設けられ前記光学系により導かれた被写体像を撮像する固体撮像装置とを備えるレンズ鏡筒であって、
前記固体撮像装置は、
上面を有するパッケージと、
前記パッケージに形成され前記上面に開口を有する収容凹部と、
前記収容凹部の底部に取着された撮像素子と、
前記撮像素子に設けられ平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバーガラスとを備え、
前記カバーガラスの上面は、前記撮像面と平行している、
ことを特徴とするレンズ鏡筒。
【請求項１５】
被写体像を導く光学系が組み込まれた鏡筒と、
前記鏡筒に設けられ前記光学系により導かれた被写体像を撮像する固体撮像装置とを備えるレンズ鏡筒であって、
前記固体撮像装置は、
上面を有するパッケージと、
前記パッケージに形成され前記上面に開口を有する収容凹部と、
前記収容凹部の底部に取着された撮像素子と、
前記撮像素子に設けられ矩形状の平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバーガラスとを備え、
前記カバーガラスは、その輪郭をなす４辺が前記撮像面の輪郭をなす４辺と互いに平行している、
ことを特徴とするレンズ鏡筒。
【請求項１６】
被写体像を導く光学系が組み込まれた鏡筒と、
前記鏡筒に設けられ前記光学系により導かれた被写体像を撮像する固体撮像装置とを備えるレンズ鏡筒であって、
前記固体撮像装置は、
上面を有するパッケージと、
前記パッケージに形成され前記上面に開口を有する収容凹部と、
前記収容凹部の底部に取着された撮像素子と、
前記撮像素子に設けられ矩形状の平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバーガラスとを備え、
前記カバーガラスの上面は、前記撮像面と平行し、かつ、前記カバーガラスの輪郭をなす４辺は前記撮像面の輪郭をなす４辺と互いに平行している、
ことを特徴とするレンズ鏡筒。
【請求項１７】
被写体像を導く光学系が組み込まれた鏡筒と、
前記鏡筒に設けられ前記光学系により導かれた被写体像を撮像する固体撮像装置とを備える撮像装置であって、
前記固体撮像装置は、
上面を有するパッケージと、
前記パッケージに形成され前記上面に開口を有する収容凹部と、
前記収容凹部の底部に取着された撮像素子と、
前記撮像素子に設けられ平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバーガラスとを備え、
前記カバーガラスの上面は、前記撮像面と平行している、
ことを特徴とする撮像装置。
【請求項１８】
被写体像を導く光学系が組み込まれた鏡筒と、
前記鏡筒に設けられ前記光学系により導かれた被写体像を撮像する固体撮像装置とを備える撮像装置であって、
前記固体撮像装置は、
上面を有するパッケージと、
前記パッケージに形成され前記上面に開口を有する収容凹部と、
前記収容凹部の底部に取着された撮像素子と、
前記撮像素子に設けられ矩形状の平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバーガラスとを備え、
前記カバーガラスは、その輪郭をなす４辺が前記撮像面の輪郭をなす４辺と互いに平行している、
ことを特徴とする撮像装置。
【請求項１９】
被写体像を導く光学系が組み込まれた鏡筒と、
前記鏡筒に設けられ前記光学系により導かれた被写体像を撮像する固体撮像装置とを備える撮像装置であって、
前記固体撮像装置は、
上面を有するパッケージと、
前記パッケージに形成され前記上面に開口を有する収容凹部と、
前記収容凹部の底部に取着された撮像素子と、
前記撮像素子に設けられ矩形状の平面からなり前記開口に臨ませた撮像面と、
均一な厚さの矩形板状を呈し厚さ方向の両端に上面と下面を有し前記パッケージの上面に前記下面が接着剤で取着され前記開口を閉塞するカバーガラスとを備え、
前記カバーガラスの上面は、前記撮像面と平行し、かつ、前記カバーガラスの輪郭をなす４辺は前記撮像面の輪郭をなす４辺と互いに平行している、
ことを特徴とする撮像装置。
【発明の詳細な説明】
【技術分野】
【０００１】
本発明は固体撮像装置、レンズ鏡筒および撮像装置に関する。
【背景技術】
【０００２】
鏡筒に固体撮像装置を組み付けるに際して、固体撮像装置をコネクタに装着し、該コネクタを実装基板に実装することで固体撮像装置ユニットを構成しておき、この固体撮像装置ユニットをレンズ鏡筒に取り付けることが提案されている（特許文献１参照）。
このような固体撮像装置ユニットでは、固体撮像装置に位置決め基板を設け、該位置決め基板を実装基板にねじで締結することにより、固体撮像装置がコネクタから脱落しないように固定している。
しかしながらこのような構成では、部品点数が多く組み立て作業が繁雑となる問題があった。
このため、本出願人は、（特願２００３−３５６７９０号）に示すように、固体撮像装置を構成するパッケージをホルダに接着し、ホルダをレンズ鏡筒にねじなどで取り付ける構成を提案した。
この構成によれば、固体撮像装置をホルダを介して鏡筒に取り付けるため、構成の簡素化を図る上で有利である。
【特許文献１】特許公報第３１８７９２２号
【発明の開示】
【発明が解決しようとする課題】
【０００３】
ところで、固体撮像装置は、半導体チップで構成されたＣＣＤやＣＭＯＳセンサなどの撮像素子を有している。この撮像素子は、レンズ鏡筒の撮影光学系によって導かれた被写体像を撮像する撮像面を有しており、撮像素子はパッケージに設けられた収容凹部に収容保持され、この収容凹部がカバーガラスで閉塞されている。
そして、固体撮像装置によって撮影光学系によって導かれる被写体像を正しく撮像するために撮像素子の撮像面が鏡筒、すなわち撮影光学系に対して所定の位置に位置決めされている必要がある。
しかしながら、従来、撮像素子の撮像面が鏡筒に対して所定の位置となるように正確に位置決めを行う作業は繁雑であり、製造コストを削減する上で不利があった。
本発明はこのような事情に鑑みなされたものであり、その目的は、撮像素子の撮像面の位置決め作業の容易化を図り製造コストを削減する上で有利な固体撮像装置、レンズ鏡筒および撮像装置を提供することにある。
【課題を解決するための手段】
【０００４】
上述の目的を達成するため、本発明は、上面を有するパッケージと、前記パッケージに形成され前記上面に開口を有する収容凹部と、前記収容凹部の底部に取着された撮像素子と、前記撮像素子に設けられ平面からなり前記開口に臨ませた撮像面と、均一な厚さの矩形板状を呈し厚さ方向の両端に上面と下面を有し前記パッケージの上面に前記下面が接着剤で取着され前記開口を閉塞するカバーガラスとを有する固体撮像装置であって、前記カバーガラスの上面は、前記撮像面と平行していることを特徴とする。
また、本発明は、上面を有するパッケージと、前記パッケージに形成され前記上面に開口を有する収容凹部と、前記収容凹部の底部に取着された撮像素子と、前記撮像素子に設けられ矩形状の平面からなり前記開口に臨ませた撮像面と、均一な厚さの矩形板状を呈し厚さ方向の両端に上面と下面を有し前記パッケージの上面に前記下面が接着剤で取着され前記開口を閉塞するカバーガラスとを有する固体撮像装置であって、前記カバーガラスは、その輪郭をなす４辺が前記撮像面の輪郭をなす４辺と互いに平行していることを特徴とする。
また、本発明は、上面を有するパッケージと、前記パッケージに形成され前記上面に開口を有する収容凹部と、前記収容凹部の底部に取着された撮像素子と、前記撮像素子に設けられ矩形状の平面からなり前記開口に臨ませた撮像面と、均一な厚さの矩形板状を呈し厚さ方向の両端に上面と下面を有し前記パッケージの上面に前記下面が接着剤で取着され前記開口を閉塞するカバーガラスとを有する固体撮像装置であって、前記カバーガラスの上面は、前記撮像面と平行し、かつ、前記カバーガラスの輪郭をなす４辺は前記撮像面の輪郭をなす４辺と互いに平行していることを特徴とする。
また、本発明は、被写体像を導く光学系が組み込まれた鏡筒と、前記鏡筒に設けられた固体撮像装置とを備えるレンズ鏡筒であって、前記固体撮像装置は、上面を有するパッケージと、前記パッケージに形成され前記上面に開口を有する収容凹部と、前記収容凹部の底部に取着された撮像素子と、前記撮像素子に設けられ平面からなり前記開口に臨ませた撮像面と、均一な厚さの矩形板状を呈し厚さ方向の両端に上面と下面を有し前記パッケージの上面に前記下面が接着剤で取着され前記開口を閉塞するカバーガラスとを有する固体撮像装置であって、前記カバーガラスの上面は、前記撮像面と平行していることを特徴とする。
また、本発明は、被写体像を導く光学系が組み込まれた鏡筒と、前記鏡筒に設けられた固体撮像装置とを備えるレンズ鏡筒であって、前記固体撮像装置は、上面を有するパッケージと、前記パッケージに形成され前記上面に開口を有する収容凹部と、前記収容凹部の底部に取着された撮像素子と、前記撮像素子に設けられ矩形状の平面からなり前記開口に臨ませた撮像面と、均一な厚さの矩形板状を呈し厚さ方向の両端に上面と下面を有し前記パッケージの上面に前記下面が接着剤で取着され前記開口を閉塞するカバーガラスとを有する固体撮像装置であって、前記カバーガラスは、その輪郭をなす４辺が前記撮像面の輪郭をなす４辺と互いに平行していることを特徴とする。
また、本発明は、被写体像を導く光学系が組み込まれた鏡筒と、前記鏡筒に設けられた固体撮像装置とを備えるレンズ鏡筒であって、前記固体撮像装置は、上面を有するパッケージと、前記パッケージに形成され前記上面に開口を有する収容凹部と、前記収容凹部の底部に取着された撮像素子と、前記撮像素子に設けられ矩形状の平面からなり前記開口に臨ませた撮像面と、均一な厚さの矩形板状を呈し厚さ方向の両端に上面と下面を有し前記パッケージの上面に前記下面が接着剤で取着され前記開口を閉塞するカバーガラスとを有する固体撮像装置であって、前記カバーガラスの上面は、前記撮像面と平行し、かつ、前記カバーガラスの輪郭をなす４辺は前記撮像面の輪郭をなす４辺と互いに平行していることを特徴とする。
また、本発明は、被写体像を導く光学系が組み込まれた鏡筒と、前記鏡筒に設けられた固体撮像装置とを備える撮像装置であって、前記固体撮像装置は、上面を有するパッケージと、前記パッケージに形成され前記上面に開口を有する収容凹部と、前記収容凹部の底部に取着された撮像素子と、前記撮像素子に設けられ平面からなり前記開口に臨ませた撮像面と、均一な厚さの矩形板状を呈し厚さ方向の両端に上面と下面を有し前記パッケージの上面に前記下面が接着剤で取着され前記開口を閉塞するカバーガラスとを有する固体撮像装置であって、前記カバーガラスの上面は、前記撮像面と平行していることを特徴とする。
また、本発明は、被写体像を導く光学系が組み込まれた鏡筒と、前記鏡筒に設けられた固体撮像装置とを備える撮像装置であって、前記固体撮像装置は、上面を有するパッケージと、前記パッケージに形成され前記上面に開口を有する収容凹部と、前記収容凹部の底部に取着された撮像素子と、前記撮像素子に設けられ矩形状の平面からなり前記開口に臨ませた撮像面と、均一な厚さの矩形板状を呈し厚さ方向の両端に上面と下面を有し前記パッケージの上面に前記下面が接着剤で取着され前記開口を閉塞するカバーガラスとを有する固体撮像装置であって、前記カバーガラスは、その輪郭をなす４辺が前記撮像面の輪郭をなす４辺と互いに平行していることを特徴とする。
また、本発明は、被写体像を導く光学系が組み込まれた鏡筒と、前記鏡筒に設けられた固体撮像装置とを備える撮像装置であって、前記固体撮像装置は、上面を有するパッケージと、前記パッケージに形成され前記上面に開口を有する収容凹部と、前記収容凹部の底部に取着された撮像素子と、前記撮像素子に設けられ矩形状の平面からなり前記開口に臨ませた撮像面と、均一な厚さの矩形板状を呈し厚さ方向の両端に上面と下面を有し前記パッケージの上面に前記下面が接着剤で取着され前記開口を閉塞するカバーガラスとを有する固体撮像装置であって、前記カバーガラスの上面は、前記撮像面と平行し、かつ、前記カバーガラスの輪郭をなす４辺は前記撮像面の輪郭をなす４辺と互いに平行していることを特徴とする。
【発明の効果】
【０００５】
本発明によれば、固体撮像装置のカバーガラスの上面や４辺を利用することで、鏡筒に対する固体撮像装置の撮像面の位置決めを極めて容易に行うことができ、レンズ鏡筒および撮像装置の製造コストを削減する上で有利となる。
【発明を実施するための最良の形態】
【０００６】
（第１の実施の形態）
次に本発明の第１の実施の形態について図面を参照して説明する。
本実施の形態では、本発明の固体撮像装置が設けられたレンズ鏡筒が撮像装置に組み込まれている場合について説明する。
図１１は撮像装置を前方から見た斜視図、図１２は撮像装置の正面図、図１３は撮像装置の背面図、図１４は撮像装置の平面図、図１５は撮像装置の制御系を示すブロック図である。
なお、本明細書において左右は、撮像装置を前方から見た状態でいうものとし、また、被写体側を前方といい、固体撮像装置側を後方という。
【０００７】
図１１〜図１４に示すように、撮像装置１００は、前後の厚さが約１ｃｍ、上下の高さが約５ｃｍ、左右の幅が約８ｃｍの小型のデジタルスチルカメラであり、外装を構成するケース１０２を有している。
ケース１０２の右側部には、図中二点鎖線で示すように、本発明に係るレンズ鏡筒１０が組み込まれている。
レンズ鏡筒１０は、図１５に示すように、鏡筒１２と、鏡筒１２に収容された固体撮像装置６０と、鏡筒１２に収容され被写体像を固体撮像装置６０に導く光学系１０４などを備えている。
光学系１０４は対物レンズ１４を備え、対物レンズ１４はケース１０２前面に設けられたレンズ窓１０３を介してケース１０２前方に臨んで配置されている。
ケース１０２の前面上部中央箇所には、撮影補助光を出射するフラッシュ１０６、セルフタイマーランプ１０８などが設けられている。
ケース１０２の前面にはバリア１１０が上下にスライド可能に設けられ、このバリア１１０は、図１１、図１２に示すようにレンズ窓１０３、フラッシュ１０６、セルフタイマーランプ１０８を前方に露出させる下限位置と、これらレンズ窓１０３、フラッシュ１０６、セルフタイマーランプ１０８を覆う上限位置とにスライドされる。
ケース１０２の上端面には、撮像を行うためのシャッタボタン１１２、前記撮影光学系のズームを調整するためのズーム操作スイッチ１１４が設けられている。
ケース１０２の左側面の上部には、電源のオンオフを行う電源スイッチ（不図示）が設けられている。
ケース１０２の後面には、撮像した映像を表示するディスプレイ１２０が設けられ、ディスプレイ１２０の側方に、静止画撮影モード、動画撮影モード、再生モードの切り換えを行なうためのモード切り換えスイッチ１２２や、ディスプレイ１２０上にメニューを表示させるためのメニュースイッチ１２４、ディスプレイ１２０上に表示されるメニューを選択するなどの操作を行うためのコントロールスイッチ１２６が設けられている。
また、ケース１０２の後面でディスプレイ１２０の下方に、ディスプレイ１２０上の表示のオンオフを行うための表示スイッチ１２８、画像サイズ切り換えスイッチ１３０などが設けられている。
【０００８】
図１５に示すように、固体撮像装置６０は、光学系１０４によって結像された被写体像を撮像するＣＣＤやＣＭＯＳセンサなどで構成されている。
固体撮像装置６０で撮像された像は撮像信号として画像処理部１５２に出力され、画像処理部１５２ではこの撮像信号に対して処理がなされることで静止画あるいは動画の画像データが生成され、メモリカード（記憶媒体）１５４に記録される。また、前記画像データは表示処理部１５６によりディスプレイ１２０に表示される。
さらに、撮像装置１００は、シャッタボタン１１２、ズーム操作スイッチ１１４、前記電源スイッチ、モード切り換えスイッチ１２２、メニュースイッチ１２４、コントロールスイッチ１２６、表示スイッチ１２８、画像サイズ切り換えスイッチ１３０などの操作スイッチの操作に応じて、画像処理部１５２、表示処理部１５６などを制御するＣＰＵなどを含む制御部１５８を備えている。
【０００９】
図１６はレンズ鏡筒１０を前方から見た斜視図、図１７はレンズ鏡筒１０を後方の下方から見た斜視図である。
図１８はレンズ鏡筒１０の正面図、図１９はレンズ鏡筒１０の背面図、図２０（Ａ）は図１８のＡ矢視図、（Ｂ）は図１８のＢ矢視図、図２１（Ｃ）は図１８のＣ矢視図、（Ｄ）は図１８のＤ矢視図である。
図２２は図１６のＡＡ線断面図、図２３は図１６のＢＢ線断面図である。
図２４はレンズ鏡筒１０の一部の構成を示す分解斜視図、図２５はレンズ鏡筒１０の残りの構成を示す分解斜視図である。
図２６はズーム用可動レンズ群１８、フォーカス用可動レンズ群２０の斜視図である。
【００１０】
図１６乃至図２５に示すように、レンズ鏡筒１０は、鏡筒１２と、対物レンズ１４と、固体撮像装置６０と、光学系１０４とを含んで構成されている。
本実施の形態では、光学系１０４は、プリズム１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１１】
図１６、図１７に示すように、鏡筒１２は、厚さと、厚さよりも大きな寸法の幅と、幅よりも大きな寸法の長さとを有する扁平な矩形板状を呈し、固体撮像装置６０と光学系１０４とは鏡筒１２の幅方向の中央からやや幅方向の一側寄りの部分で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２、１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施の形態では、図１１、図１２に示すように、レンズ鏡筒１０（鏡筒１２）の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。
したがって、鏡筒１２は、その幅方向、長さ方向、厚さ方向を、撮像装置１００のケース１０２の左右方向、上下方向、前後方向のそれぞれに合致させた状態でケース１０２内部に配置されることになる。
また、本実施の形態では、これら第１、第２、第３鏡筒分割体１２０２、１２０４、１２０６は合成樹脂材料によって形成されている。
【００１２】
図２２、図２３、図２４に示すように、第１鏡筒分割体１２０２は前壁、後壁、左壁、右壁により扁平な直方体状に形成され、第１鏡筒分割体１２０２の内部には、断面が矩形で下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部に取着されている。
プリズム１６は、対物レンズ１４で捉えた像を下部に向けて（固体撮像装置６０側に）反射させるものである。プリズム１６は、部品収容空間１２０２Ａで対物レンズ１４の後方に臨む箇所に配置されている。
本実施の形態では、被写体像を固体撮像装置６０に導く光学系１０４の光路が、対物レンズ１４から後方に延在しプリズム１６の反射面に至る第１の光路部分と、プリズム１６の反射面から下方に延在し固体撮像装置６０に至る第２の光路部分とで構成され、図２２において符号Ｏ１は第１の光路部分の光軸を示し、符号Ｏ２は第２の光路部分の光軸を示している。
【００１３】
第１の固定レンズ群２２とズーム用可動レンズ群１８とは、部品収容空間１２０２Ａ内でプリズム１６の下方に配置されている。
第１の固定レンズ群２２は、図２４に示すように、第１鏡筒分割体１２０２の取付部に組み込まれる第１の固定レンズ２２０２を備え、この第１の固定レンズ２２０２に望ませて遮光枠２２０４が設けられている。
【００１４】
図２２、図２３、図２４に示すように、ズーム用可動レンズ群１８は、第１のズームレンズ１８０２と、互いに貼り合わされた第２、第３のズームレンズ１８０４、１８０５とで構成されている。
これら第１、第２、第３のズームレンズ１８０２、１８０４、１８０５はズーム用レンズ枠１８０６により支持されている。
ズーム用レンズ枠１８０６は、駆動手段３２によりメインガイド軸３８およびサブガイド軸４０に案内されつつそれらの光軸方向に沿って往復移動され、ズーム動作がなされる。
図２６に示すように、ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
延在部１８１２には、図２４に示すように、鏡筒１２の長手方向において互いに対向するフランジ１８１６、１８１６が設けられ、これらフランジ１８１６、１８１６には、同軸上にそれぞれ孔が設けられている。そして、それら孔に軸３６０２、３６０２が回転可能に挿入されることで、それらフランジ１８１６、１８１６の間に雌ねじ部材３６が鏡筒１２の長手方向に移動不能にかつ軸３６０２を支点に揺動可能に結合されている。この雌ねじ部材３６はスプリング３６０１により互いに閉じる方向に付勢された一対のアームを有し、それらアームの向かい合う面にそれぞれ雌ねじ３６０４が設けられている。
【００１５】
また、図２６に示すように、延在部１８１２には、ロッド挿通孔１８１４が設けられている。
ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行に直線状に延在しており、本実施の形態では第１鏡筒分割体１２０２の長さ方向に延在している。したがって、メインガイド軸３８はズーム用可動レンズ群１８を該ズーム用可動レンズ群１８の光軸方向に案内している。
また、図２６に示すように、延在部１８１２とは反対側に位置する保持部１８１０の箇所で部品収容空間１２０２Ａの隅部に位置する箇所に係合溝１８１８が形成されている。
係合溝１８１８には、第１鏡筒分割体１２０２の長さ方向に延在するサブガイド軸４０（図２４）が滑動可能に挿通されている。したがって、サブガイド軸４０はズーム用レンズ１８がメインガイド軸３８の回りに回転することを阻止している。サブガイド軸４０は第１、第２、第３のズームレンズ１８０２、１８０４、１８０５の光軸と平行に直線状に延在しており、本実施の形態では第１鏡筒分割体１２０２の長さ方向に延在している。
ズーム用可動レンズ群１８用の案内機構２８は、これらメインガイド軸３８とサブガイド軸４０によって構成されている。
【００１６】
図２４、図２６に示すように、ズーム用可動レンズ群１８を移動させる駆動手段３２は、鏡筒１２の長さ方向に延在する組み付け部材３２０２と、組み付け部材３２０２の上部に設けられたモータ３２０４と、組み付け部材３２０２に沿って延在しモータ３２０４により回転駆動される雄ねじ部材３２０６とを有している。
組み付け部材３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動され、ズーム動作がなされる。
本実施の形態では、ズーム用可動レンズ群１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１７】
図２２、図２３、図２４に示すように、第３鏡筒分割体１２０６は、部品収容空間１２０２Ａ内に臨む内部部分１２０６Ａと、部品収容空間１２０２Ａの外側に臨む外部部分１２０６Ｂとを有している。
図２４に示すように、第２の固定レンズ群２４は、その光軸をズーム用可動レンズ群１８の光軸と一致させて内部部分１２０６Ａに取着され、第２固定レンズ２４の後面にアイリス（絞り）４２が配置されている。
このアイリス４２は、光学系１０４の光軸を前記幅方向で挟んで配置された２枚の絞り羽根４２０２と、各絞り羽根４２０２を前記幅方向に移動可能に案内する案内部材４２０４とを備えている。
アイリス４２は、第３鏡筒分割体１２０６の外部部分１２０６Ｂに取着された駆動部４４により２枚の絞り羽根４２０２が接離する方向に移動されることで、２枚の絞り羽根４２０２が開閉されこれにより前記光軸に沿って進行する光束の光量を調節するように構成されている。
【００１８】
図２５に示すように、第２鏡筒分割体１２０４は、前壁１２０５Ａ、後壁１２０５Ｂ、左壁１２０５Ｃ、右壁１２０５Ｄにより直方体状に形成され、第２鏡筒分割体１２０４の内部には、断面が矩形で上下に開放された部品収容空間１２０４Ａが形成されている。
第２鏡筒分割体１２０４の下部にホルダ４６を介して固体撮像装置６０が取着されることでこの部品収容空間１２０４Ａの下端は閉塞されている。したがって、本実施の形態では、第２鏡筒分割体１２０４はホルダ４６を含んで構成されている。
具体的には、図２３に示すように、第２鏡筒分割体１２０４の下部にはホルダ４６を介して固体撮像装置６０を配設するための固体撮像装置用取付部１２０５が設けられている。
固体撮像装置用取付部１２０５は、固体撮像装置６０を部品収容空間１２０４Ａに臨ませる開口１２０４Ｂと、この開口１２０４Ｂの周囲に設けられた取付座１２０４Ｅとを備えている。
フォーカス用可動レンズ群２０と第３の固定レンズ群２６は、部品収容空間１２０４Ａ内で第２鏡筒分割体１２０４の幅方向中央に位置する箇所に配置されている。
【００１９】
図２５に示すように、フォーカス用可動レンズ群２０は、互いに貼り合わされた第１、第２のフォーカスレンズ２００２、２００４で構成されている。
これら第１、第２のフォーカスレンズ２００２、２００４は、フォーカス用レンズ枠２００６により支持されている。
フォーカス用レンズ枠２００６は、駆動手段３４によりメインガイド軸５０およびサブガイド軸５２に案内されつつそれらの光軸方向に沿って往復移動され、フォーカス動作がなされる。
図２６に示すように、フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
延在部２０１２には、図２５に示すように、鏡筒１２の長手方向において互いに対向するフランジ２０１６、２０１６が設けられ、これらフランジ２０１６、２０１６には、同軸上にそれぞれ孔が設けられている。そして、それら孔に軸４８０２、４８０２が回転可能に挿入されることで、それらフランジ２０１６、２０１６の間に雌ねじ部材４８が鏡筒１２の長手方向に移動不能にかつ軸４８０２を支点に揺動可能に結合されている。この雌ねじ部材４８はスプリング４８０１により互いに閉じる方向に付勢された一対のアームを有し、それらアームの向かい合う面にそれぞれ雌ねじ４８０４が設けられている。
【００２０】
また、図２５に示すように、延在部２０１２には、ロッド挿通孔２０１４が設けられている。
図２５、図２６に示すように、ロッド挿通孔２０１４には、金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して直線状に延在しており、本実施の形態では第２鏡筒分割体１２０４の長さ方向に延在している。したがって、メインガイド軸５０はフォーカス用可動レンズ群２０を該フォーカス用可動レンズ２８の光軸方向に案内している。
また、図２６に示すように、延在部２０１２とは反対側に位置する保持部２０１０に係合溝２０１８が形成されている。
係合溝２０１８には、サブガイド軸５２（図２５）が滑動可能に挿通されている。したがって、サブガイド軸５２はフォーカス用レンズ２０がメインガイド軸５０の回りに回転することを阻止している。サブガイド軸５２は第２鏡筒分割体１２０４と一体に形成されており、したがって、合成樹脂製である。サブガイド軸５２は第１、第２のフォーカスレンズ２００２、２００４の光軸と平行に直線状に延在しており、本実施の形態では第２鏡筒分割体１２０４の長さ方向に延在している。
フォーカス用可動レンズ群２０用の案内機構３０は、これらメインガイド軸５０とサブガイド軸４０によって構成されている。
【００２１】
図２５、図２６に示すように、フォーカス用可動レンズ群２０を移動させる駆動手段３４は、鏡筒１２の長さ方向に延在する組み付け部材３４０２と、組み付け部材３４０２の下部に設けられたモータ３４０４と、組み付け部材３４０２に沿って延在しモータ３４０４により回転駆動される雄ねじ部材３４０６とを有している。
組み付け部材３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動され、フォーカス動作がなされる。
したがって、本実施の形態では、フォーカス用可動レンズ群２０とメインガイド軸５０と雄ねじ部材３４０４とが第２鏡筒分割体１２０４の内部で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
【００２２】
なお、図２２に示すように、部品収容空間１２０４Ａに臨む第２鏡筒分割体１２０４の前面箇所および後面箇所で第２鏡筒分割体１２０４Ａの上端と第３の固定レンズ群２６との間の箇所には凹凸部１２０４Ｃが設けられている。
また、部品収容空間１２０４Ａに臨む第２鏡筒分割体１２０４の前面箇所および後面箇所で第３の固定レンズ群２６と固体撮像装置６０との間の箇所には凹凸部１２０４Ｄが設けられている。
これらの凹凸部１２０４Ｃ、１２０４Ｄは、対物レンズ１４、プリズム１６、第１の固定レンズ群２２、ズーム用可動レンズ群１８、第２固定レンズ２４、フォーカス用可動レンズ群２０を介して進入してきた光のうち、部品収容空間１２０４Ａに臨む第２鏡筒分割体１２０４の前面箇所および後面箇所に到達した光が該後面箇所で反射されることで、いわゆるフレアあるいはゴーストと呼ばれる反射光が発生し、この反射光が固体撮像装置６０の撮像面（受光面）に到達して固体撮像装置６０の撮像信号に対して悪影響を及ぼすことを防止するために設けられている。
なお、固体撮像装置６０から遠い箇所に設けられた凹凸部１２０４Ｃの凹凸の間隔に対して固体撮像装置６０から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２３】
図２２に示すように、第３の固定レンズ群２６は、固体撮像装置６０の上方でフォーカス用可動レンズ群２０の下方の部品収容空間１２０４Ａ箇所に配置されている。
なお、図２５に示すように、第１鏡筒分割体１２０２と第２鏡筒分割体１２０４と第３鏡筒分割体１２０６とは、前記駆動部４４近傍の箇所でねじ２０２により互いに取着され、かつ、前記駆動部３４近傍の箇所でねじ２０４により互いに取着されている。
【００２４】
次に、固体撮像装置６０について詳細に説明する。
図１は固体撮像装置６０の分解斜視図、図２は固体撮像装置６０が組み立てられた状態を示す斜視図、図３は固体撮像装置６０の撮像素子の平面図、図４（Ａ）〜（Ｃ）は固体撮像装置６０の組み立て説明図である。
図５は固体撮像装置６０にフレキシブル基板が接続された状態を示す斜視図である。
図６はホルダ４６の斜視図、図７はホルダ４６の上下を反転させた状態の斜視図、図８は固体撮像装置６０がホルダ４６に取着された状態での断面図、図９は図８のＡＡ線断面図、図１０は固体撮像装置ユニット７２の斜視図である。
【００２５】
図１、図２、図４（Ｃ）に示すように、固体撮像装置６０は、パッケージ６２と、収容凹部６４と、撮像素子６６と、撮像面６７と、カバーガラス６８とを含んで構成されている。
パッケージ６２は、扁平な矩形板状（本実施の形態では長方形板状）を呈し、厚さ方向の両端に形成された上面６２０２および下面６２０４と、上面６２０２および下面６２０４の周囲を接続する４つの側面６２０６とを有している。パッケージ６２は本実施の形態では、セラミック材料が厚さ方向に積層されることで形成されている。
収容凹部６４は、断面が矩形（本実施の形態では正方形状）でパッケージ６２の上面６２０２から下面６２０４に向けて延在形成されている。
収容凹部６４の上端は、パッケージ６２の上面６２０２に開口６４０２として開放され、収容凹部６４の下端は底部６４０４として形成されている。
また、パッケージ６２の下面６２０４にはパッケージ側接続端子（不図示）が設けられ、これらパッケージ側接続端子は撮像部６８に接続され、撮像素子６６で捉えた映像をフレキシブル基板８０（図５参照）を介して外部に伝送するためのものである。
本実施の形態では、前記パッケージ側接続端子は、例えば下面６２０４の対向する２つの長辺に沿ってその長辺の全長にわたり間隔をおいて配置され、半田付けを行うための導電性材料によるメッキ層が形成されている。
【００２６】
撮像素子６６はいわゆる半導体ウェハから切り出された半導体チップであり、扁平な矩形板状を呈しており、厚さ方向の両端に上面６６０２と背面６６０４を有している。
撮像面６７は、図３に示すように、撮像素子６６の上面６６０２に矩形状を呈する平面で形成され、撮像面６７と上面６６０２は同一平面上に位置している。
撮像素子６６は、背面６６０２がパッケージ６２の底部６４０４に接着などにより取着されている。
したがって、撮像面６７は、撮像素子６６が底部６４０４に取着された状態で開口６４０２に臨んでいる。
撮像素子６６では、撮像面６７に導かれた被写体像を撮像することで撮像信号を生成し前述した画像処理部１５２に出力するように構成されている。
なお、撮像面６７は、被写体像が導かれる（被写体像を撮像する）面であり、被写体像が結像される結像面であり、被写体像を受光する画素面である。
【００２７】
また、撮像素子６６の上面６６０２で撮像面６７の外側には、２つの正方形のアイマーク７０が形成されている。この２つのアイマーク７０は後述するように撮像面６７に対してカバーガラス６８を位置決めするために使用されるものである。
詳細に説明すると、図３に示すように、撮像面６７の輪郭をなす矩形の互いに直交する２辺に沿ってＸ座標、Ｙ座標を設定した場合、２つのアイマーク７０の中心（対角線の交点）を結んだ直線７００２が、撮像面６７の輪郭をなす４辺のうちの２辺と平行し、かつ、４辺のうちの残りの２辺と直交するように形成され、かつ、２つのアイマーク７０は、各アイマーク７０の中心（対角線の交点）のＸ、Ｙ座標と、撮像面６７の中心（対角線の交点）のＸ、Ｙ座標とが所定の位置関係となるように形成されている。
【００２８】
カバーガラス６８は、均一な厚さの矩形板状を呈し厚さ方向の両端に上面６８０２と下面６８０４を有している。
カバーガラス６８は、パッケージ６２の上面６２０２に下面６８０４が接着剤で取着され開口６４０２を閉塞し、撮像素子６６を封止している。
カバーガラス６８の上面６８０２は、撮像面６７と平行している。
また、カバーガラス６８の輪郭をなす４辺は撮像面６７の輪郭をなす４辺と互いに平行している。
本実施の形態では、カバーガラス６８の中心（対角線の交点）と撮像面６７の中心（対角線の交点）とは合致している。
さらに、本実施の形態では、カバーガラス６８の上面６８０２と下面６８０４を接続する４つの側面６８０６は、上面６８０２と直交している。
【００２９】
次に、固体撮像装置６０の組み立てについて説明する。
まず、図４（Ａ）に示すように、カバーガラス６８をその上面６８０２を上方に臨ませた状態で移動不能に固定する。この際、上下方向に延在する仮想軸をＺ軸とすると、上面６８０２はこのＺ軸に対して直交した状態となる。
次に、図１に示すように、撮像素子６６が取着されたパッケージ６２の上面６８０２を上方に向けた状態で、パッケージ６２の上面６８０２の全周にわたって紫外線硬化型接着剤Ｓを塗布する。
次いで、図４（Ａ）に示すように、撮像素子６６が取着されたパッケージ６２の上下を反転させ、カバーガラス６８の上方において撮像面６７がカバーガラス６８の下面に対面するように不図示の調整治具に取り付ける。
【００３０】
次に、図４（Ｂ）に示すように、撮像素子６６が取着されたパッケージ６２をＺ軸方向に沿って下降させパッケージ６２の上面６２０２とカバーガラス６８の上面６８０２との双方に紫外線硬化型接着剤Ｓが接触した状態とする。
次に、カバーガラス６８を固定しておき、撮像素子６６が取着されたパッケージ６２を調整治具により６軸方向に対して位置調整する。
具体的には、前記Ｚ軸に対して直交する平面内で互いに直交する２つの軸をＸ軸、Ｙ軸とすると、これらＸ、Ｙ、Ｚ軸の３軸に沿った位置調整と、Ｘ軸とＺ軸がなす平面内での傾きＲｘ調整と、Ｙ軸とＺ軸がなす平面内での傾きＲｙ調整と、Ｚ軸を中心とする回転角度θ調整との６つの位置調整、すなわち６軸の位置調整を行う。
この６軸の位置調整により、撮像面６７とカバーガラス６８の上面６８０２とが平行する。
また、撮像面６７とカバーガラス６８の上面６８０２との間隔Ｄが所定値に調整される。
また、撮像面６７の４辺とカバーガラス６８の４辺とがそれぞれ平行する。
また、撮像面６７の中心（対角線の交点）とカバーガラス６８の中心（対角線の交点）とが合致する。
【００３１】
撮像面６７とカバーガラス６８の上面６８０２との平行調整は、Ｘ軸とＺ軸がなす平面内での傾きＲｘの調整と、Ｙ軸とＺ軸がなす平面内での傾きＲｙの調整によりなされる。
このような調整は、例えば次のようにして行うことができる。
すなわち、カバーガラス６８の下方からＺ軸方向と平行な光軸を有するレーザビームを照射させるとともに、このレーザビームがカバーガラス６８の上面６８０２で反射された第１の反射ビームと、このレーザビームがカバーガラス６８を通過して撮像面６７で反射され再びカバーガラス６８を通過した第２の反射ビームとの２つの反射ビームとの双方をカメラでモニタする。そして、これら第１、第２の反射ビームの光路が互いに合致するように傾きＲｘ、Ｒｙの調整を行うことで、撮像面６７とカバーガラス６８の上面６８０２とが平行した状態とされる。
【００３２】
撮像面６７とカバーガラス６８の上面６８０２との間隔Ｄの調整は、図４（Ｃ）に示すように、調整治具により撮像素子６６が取着されたパッケージ６２のＺ軸方向の位置調整を行うことでなされる。
具体的には、カバーガラス６８の下方にカメラを配置しておく。このカメラは、その撮影光学系によって撮像面６７の像が合焦した際に、撮像面６７とカバーガラス６８の上面６８０２との間隔が所定値Ｄとなるように設けられている。
したがって、前記カメラが合焦するように、調整治具により撮像素子６６が取着されたパッケージ６２のＺ軸方向の位置調整を行うことで、撮像面６７とカバーガラス６８の上面６８０２との間隔が所定値Ｄに調整される。
【００３３】
撮像面６７の４辺とカバーガラス６８の４辺との平行調整は、次のようになされる。
具体的には、カバーガラス６８の下方にカメラを配置しておく。このカメラは、その撮影光学系によって撮像素子６６の上面６６０２と、カバーガラス６８の輪郭とを正確に撮像できるように構成されている。
そして、２つのアイマーク７０を結ぶ直線７００２と、カバーガラス６８の２辺とが平行するようにパッケージ６２を回転させることより、撮像面６７の４辺とカバーガラス６８の４辺とがそれぞれ平行した状態に調整される。
【００３４】
撮像面６７の中心（対角線の交点）とカバーガラス６８の中心（対角線の交点）との合致の調整は、次のようになされる。
具体的には、カバーガラス６８の下方に前記と同様に構成されたカメラを配置しておく。
そして、２つのアイマーク７０の座標とカバーガラス６８の輪郭の中心の座標とに基づいて、パッケージ６２をＸ軸、Ｙ軸方向に移動させることにより、撮像面６７の中心（対角線の交点）とカバーガラス６８の中心（対角線の交点）とが合致された状態に調整される。
【００３５】
次いで、パッケージ６２の上面６２０２とカバーガラス６８の上面６８０２と間に保持されている紫外線硬化型接着剤Ｓに対して光源から紫外線を照射し硬化させる。
これにより、パッケージ６２とカバーガラス６８とは位置決めされた状態で接着される。
【００３６】
パッケージ６２とカバーガラス６８とが接着されたならば、図５に示すように、パッケージ６２にフレキシブル基板８０を取着する。
すなわち、フレキシブル基板８０は、前記パッケージ側接続端子に接続可能な基板側接続端子（不図示）がその表面に設けられた撮像素子側端部８００２と、撮像素子側端部８００２から延出された延出部８００４とを含んで構成されている。
詳細に説明すると、撮像素子側端部８００２は、固体撮像装置６０の下面６２０４の輪郭とほぼ等しいかやや大きい輪郭を有した矩形（本実施の形態では長方形）を呈している。
本実施の形態では、前記基板側接続端子は、撮像素子側端部８００２の表面で対向する２つの長辺に沿って間隔をおいて配置され、半田付けを行うための導電性材料によるメッキ層が形成されている。
延出部８００４は、撮像素子側端部８００２の２つの長辺のうちの一方の長辺からこの長辺と直交する方向に延出されパッケージ６２の下面６２０４とほぼ同じ大きさの第１延出部８００４Ａと、第１延出部８００４Ａの側縁から前記長辺と平行する方向に延在する第２延出部８００４Ｂを有している。
第２延在部８００４Ｂの端部には画像処理部１５２に電気的に接続される端子部８００４Ｃが設けられている。
そして、図５に示すように、パッケージ６２の下面６２０４の全域を撮像素子側端部８００２の全域に合わせて下面６２０４を撮像素子側端部８００２に載置し、前記撮像素子側端子と基板側接続端子とが半田付けされることにより、パッケージ６２の下面６２０４にフレキシブル基板８０（撮像素子側端部８００２）が取着される。
これにより固体撮像装置６０の組み立てが完了する。
【００３７】
次にホルダ４６について説明する。
図６、図７、図８に示すように、ホルダ４６は、その厚さ方向の両端に位置する前面４６Ａおよび背面４６Ｂと、固体撮像装置６０よりも大きな輪郭で厚さ方向に貫通形成された収容凹部４６０２と、収容凹部４６０２の外側の箇所に設けられた組み付け部４６０８を有している。
本実施の形態では、収容凹部４６０２は、固体撮像装置６０が収容される大きさの矩形で前面４６Ａから背面４６Ｂにわたって形成され、組み付け部４６０８は、収容凹部４６０２の両側に設けられている。
ホルダ４６の前面４６Ａには、収容凹部４６０２に固体撮像装置６０が収容された状態で撮像部６８を露出させる第１開口４６０４が設けられ、背面４６Ｂには収容凹部４６０２に固体撮像装置６０が収容された状態でパッケージ６２の下面６２０４を露出させる第２開口４６０６が設けられている。
ホルダ４６の前面４６Ａで第１開口４６０４の両側から第２鏡筒分割体１２０４への組み込み用の差込片４６１０が突設されている。
また、各組み付け部４６０８には位置決め孔４６１２とねじ挿通孔４６１４が貫通形成されている。
また、第２開口４６０６の両側の各組み付け部４６０８の背面４６Ｂ箇所からは、収容凹部４６０２に固体撮像装置６０が収容された状態でパッケージ６２の互いに対向する側面６２０６に臨む一対の壁部４６１６が突設され、各壁部４６１６には、先端に開放状の接着剤充填用凹部４６１８が該壁部４６１６の延在方向に間隔をおき複数形成されている。
そして、図８に示すように、固体撮像装置６０を構成する撮像素子６６の撮像面６７が第１開口４６０４から露出するように固体撮像装置６０が収容凹部４６０２に収容された状態で、パッケージ６２の両側の側面６２０６と、両側の壁部４６１６とが接着剤充填用凹部４６１８に充填された接着剤Ｓで接着されている。
本実施の形態では、ホルダ４６の前面４６Ａ寄り箇所で第１開口４６０４に臨む収容凹部４６０２の箇所に、固体撮像装置６０を位置決めするための位置決め部８２が設けられている。
位置決め部８２は、カバーガラス６８の上面６８０２の４辺に当接可能な矩形枠状のＺ軸用位置決め面８２０２と、Ｚ軸用位置決め面８２０２の外縁からＺ軸用位置決め面８２０２に直交する方向に起立するとともにカバーガラス６８の互いに直交する側面６８０６に当接可能なＸ軸用位置決め面８２０４、Ｙ軸用位置決め面８２０６とを備えている。
これらＺ軸用位置決め面８２０２、Ｘ軸用位置決め面８２０４、Ｙ軸用位置決め面８２０６は、両側の組み付け部４６０８の位置決め孔４６１２を基準として高い精度で正確に形成されている。
【００３８】
次に、固体撮像装置６０のホルダ４６への組み付けについて説明する。
図６、図７、図８に示すように、フレキシブル基板８０が取着された固体撮像装置６０のカバーガラス６８の上面６８０２をホルダ４６の第２開口４６０６に臨ませ、カバーガラス６８を第２開口４６０６から収容凹部４６０２に挿入する。
そして、カバーガラス６８の上面６８０２をホルダ４６のＺ軸用位置決め面８２０２に当て付けながら、カバーガラス６８の互いに直交する２つの側面６８０６の一方をＸ軸用位置決め面８２０４に当て付けるとともに、２つの側面６８０６の他方をＹ軸用位置決め面８２０６に当て付ける。
これによりカバーガラス６８がホルダ４６に対して正確に位置決めされ、したがって、撮像素子６６の撮像面６７もホルダ４６に対して正確に位置決めされる。
このように位置決めされた状態でホルダ４６の各接着剤充填用凹部４６１８とパッケージ６２の両側面６２０６にわたって、接着剤塗布用のシリンジなどによってＵＶ硬化型接着剤Ｓが充填される。
ＵＶ硬化型接着剤Ｓは硬化前において粘性を有し半流動体状を呈しているので、充填されたＵＶ硬化型接着剤Ｓは各接着剤充填用凹部４６１８と両側面６２０６との間に保持された状態となる。
次いで、各接着剤充填用凹部４６１８と両側面６２０６との間に保持されたＵＶ硬化型接着剤Ｓに対して紫外線を照射し硬化させる。
これにより、固体撮像装置６０とホルダ４６は正確に位置決めされた状態で接着され、固体撮像装置ユニット７２が構成される。
【００３９】
さらに、固体撮像装置ユニット７２には、図１０に示すように、シールゴム８４、遮光シート８６、フィルタ８８が組みつけられる。
すなわち、ホルダ４６の前面４６Ａの第１開口４６０４周囲に枠状のシールゴム８４が配設され、シールゴム８４の内側に撮像部６８に臨む空間９０が形成されている。
この空間９２を閉塞するようにシールゴム８４の上端に枠状の遮光シート８６を介して板状のフィルタ８８が配設されている。本実施の形態ではフィルタ８８はローパスフィルタによって構成されている。
フィルタ８８は、ホルダ４６に取着された押え部材９０により遮光シート８６を介してシールゴム８４の上端を押さえ付けるように配設されており、シールゴム８４はフィルタ８８により圧縮されている。押え部材６２は、該押え部材６２の係合溝６２０２にホルダ４６の係合爪４６３０が係合することでホルダ４６に取着されている。
したがって空間９２はシールゴム８４、遮光シート８６、フィルタ８８などにより閉塞され、塵埃などの侵入が防止されている。
【００４０】
鏡筒１２の固体撮像装置用取付部１２０５に対する固体撮像装置ユニット７２の取り付けは、鏡筒１２の開口１２０４Ｂにホルダ４６の差込片４６１０を挿入し、鏡筒１２の取付座１２０４Ｃに両側の組み付け部４６０８を当接させ、ねじ挿通孔４６１４に挿通したねじを取り付け座１２０４Ｅのねじ孔に螺合し締結することによってなされる。
なお、固体撮像装置用取付部１２０５には不図示のノックピンが設けられており、鏡筒１２の開口１２０４Ｂにホルダ４６の差込片４６１０を挿入した状態で、前記ノックピンが組み付け部４６０８の位置決め孔４６１２に挿入されることで鏡筒１２に対する固体撮像装置ユニット７２の位置決めがなされるように構成されている。
【００４１】
本実施の形態によれば、固体撮像装置６０のカバーガラス６２の上面６２０２は、撮像面６７と平行し、かつ、カバーガラス６２の輪郭をなす４辺は撮像面６７の輪郭をなす４辺と互いに平行している。
そのため、ホルダ４６に対して固体撮像装置６０を位置決めするに際して、カバーガラス６２の上面６２０２とカバーガラス６２の輪郭をなす４辺のうち互いに直交する２辺を利用することで、位置決めが容易になされ、言い換えると、鏡筒１２に対する撮像面６７の位置決めを極めて容易に行うことができ、レンズ鏡筒１０および撮像装置１００の製造コストを削減する上で有利となる。
なお、本実施の形態の固体撮像装置６０では、カバーガラス６２の上面６２０２が、撮像面６７と平行し、かつ、カバーガラス６２の輪郭をなす４辺は撮像面６７の輪郭をなす４辺と互いに平行している場合について説明したが、本発明はこれに限定されるものではない。
例えば、固体撮像装置６０のカバーガラス６２の上面６２０２が撮像面６７と平行しているが、カバーガラス６２の輪郭をなす４辺は撮像面６７の輪郭をなす４辺と互いに平行していなくともよい。
この場合には、ホルダ４６（鏡筒１２）に対する固体撮像装置６０の撮像面６７の位置決めを行う際に、ホルダ４６を鏡筒１２に組み付けた際にレンズ鏡筒１０の光軸に対して撮像面６７が正確に直交するように調整する調整作業が不要となり、その分、固体撮像装置６０のホルダ４６に対する位置決め調整作業を簡素化することができレンズ鏡筒１０および撮像装置１００の組み立てにようする製造コストを低減する上で有利となる。
また、固体撮像装置６０のカバーガラス６２の上面６２０２が撮像面６７と平行していないが、カバーガラス６２の輪郭をなす４辺が撮像面６７の輪郭をなす４辺と互いに平行していてもよい。
この場合には、ホルダ４６（鏡筒１２）に対する固体撮像装置６０の撮像面６７の位置決めを行う際に、ホルダ４６を鏡筒１２に組み付けた際にレンズ鏡筒１０の光軸と直交する平面上で互いに直交するＸ軸、Ｙ軸に対して撮像面６７の４辺が正確に平行するように調整する作業が不要となり、その分、固体撮像装置６０のホルダ４６に対する位置決め調整作業を簡素化することができレンズ鏡筒１０および撮像装置１００の組み立てにようする製造コストを低減する上で有利となる。
また、本実施の形態では、固体撮像装置６０をホルダ４６を介して鏡筒１２に組み付ける場合について説明したが、ホルダ４６を省略し、ホルダ４６の位置決め部８２と同様の構成を鏡筒１２の鏡筒１２の固体撮像装置用取付部１２０５に設けてもよい。
この場合には、ホルダ４６が不要となるため、部品点数を削減することができコストを削減しつつ小型化を図る上で有利となる。
（第２の実施の形態）
【００４２】
次に第２の実施の形態について説明する。
第２の実施の形態が第１の実施の形態と異なるのは、ホルダ４６に代えて、カバーガラス６８を保持するカバー部材を設けた点である。
図２７は第２の実施の形態における固体撮像装置６０の分解斜視図、図２８は第２の実施の形態における固体撮像装置６０の断面図である。なお、以下では、第１の実施の形態と同様な箇所、部材に同一の符号を付して説明する。
図２７、図２８に示すように、固体撮像装置６０は、パッケージ６２と、撮像素子６６と、カバー部材９４と、位置決め部９６とを備えている。
収容凹部６４は、第１の実施の形態と同様に、パッケージ６２に形成され、上面６２０２に開口６４０２を有している。
撮像素子６６は、収容凹部６４の底部６４０４に取着され、矩形の撮像面６７を開口６４０２に臨ませている。
カバー部材９４は、均一な厚さの矩形板状を呈し厚さ方向の両端に上面９４０２と下面９４０４を有し、パッケージ６２の上面６２０２に下面９４０４が接着剤で取着され開口６４０２を閉塞している。
カバー部材９４には、カバーガラス６８が埋め込み固定され、カバーガラス６８により被写体像を撮像面６７に導くように構成されている。
カバーガラス６８の上面６８０２はカバー部材９４の上面９４０２に臨ませて配置され、カバー部材９４の上面９４０２と撮像面６７は平行しており、本実施の形態では、上面６８０２と上面９４０２は同一平面上を延在している。
位置決め部９６は、カバーガラス６８の外側に位置するカバー部材９４の両側に設けられている。
本実施の形態では、位置決め部９６は、円形孔９６Ａと長溝９６Ｂにより構成され、これら円形孔９６Ａと長溝９６Ｂにより、カバー部材９４に対する撮像面６７の輪郭をなす４辺や撮像面６７の中心（対角線の交点）とが特定されるように構成されている。
このような第２の実施の形態によっても、第１の実施の形態と同様に、鏡筒１２に対して固体撮像装置６０を位置決めするに際して、カバー部材９４の円形孔９６Ａと長溝９６Ｂを利用することで、位置決めが容易になされ、言い換えると、鏡筒１２に対する撮像面６７の位置決めを極めて容易に行うことができ、レンズ鏡筒１０および撮像装置１００の製造コストを削減する上で有利となる。
（第３の実施の形態）
【００４３】
次に第３の実施の形態について説明する。
第３の実施の形態が第２の実施の形態と異なるのは、位置決め部の構造である。
図２９は第３の実施の形態における固体撮像装置６０の分解斜視図、図３０は第３の実施の形態における固体撮像装置６０の断面図である。なお、以下では、第２の実施の形態と同様な箇所、部材に同一の符号を付して説明を省略する。
カバー部材９４には、カバーガラス６８が埋め込み固定され、カバーガラス６８により被写体像を撮像面６７に導くように構成されている。
カバーガラス６８の上面６８０２はカバー部材９４の上面９４０２に臨ませて配置され、カバー部材９４の上面９４０２とカバーガラス６８の上面６８０２は平行しており、本実施の形態では、上面９４０２に対してカバーガラス６８の上面６８０２は窪んだ箇所に位置している。
位置決め部９６は、カバーガラス６８の外側に位置するカバー部材９４の両側に設けられている。
本実施の形態では、位置決め部９６は、２本のノックピン９６Ｃにより構成され、これらノックピン９６Ｃにより、カバー部材９４に対する撮像面６７の輪郭をなす４辺や撮像面６７の中心（対角線の交点）とが特定されるように構成されている。
このような第３の実施の形態によっても、第１の実施の形態と同様に、鏡筒１２に対して固体撮像装置６０を位置決めするに際して、カバー部材９４のノックピン９６Ｃを利用することで、位置決めが容易になされ、言い換えると、鏡筒１２に対する撮像面６７の位置決めを極めて容易に行うことができ、レンズ鏡筒１０および撮像装置１００の製造コストを削減する上で有利となる。
（第４の実施の形態）
【００４４】
次に第４の実施の形態について説明する。
第４の実施の形態が第２の実施の形態、３と異なるのは、位置決め部の構造である。
図３１は第４の実施の形態における固体撮像装置６０の分解斜視図、図３２は第４の実施の形態における固体撮像装置６０の分解斜視図の断面図である。なお、以下では、第２の実施の形態と同様な箇所、部材に同一の符号を付して説明する。
カバー部材９４には、カバーガラス６８が埋め込み固定され、カバーガラス６８により被写体像を撮像面６７に導くように構成されている。
カバーガラス６８の上面６８０２はカバー部材９４の上面９４０２に臨ませて配置され、カバー部材９４の上面９４０２と撮像面６７は平行しており、本実施の形態では、上面９４０２と撮像面６７は同一平面上を延在している。
そして、カバー部材９４は、その輪郭をなす４辺９４１０、９４１０、９４１２、９４１２が撮像面６７の輪郭をなす４辺と互いに平行に設けられている。
第４の実施の形態では、カバー部材９４の輪郭をなす４辺９４１０、９４１０、９４１２、９４１２が位置決め部９６を構成している。
このような第４の実施の形態によっても、第１の実施の形態と同様に、鏡筒１２に対して固体撮像装置６０を位置決めするに際して、カバー部材９４の４辺９４１０、９４１０、９４１２、９４１２を利用することで、位置決めが容易になされ、言い換えると、鏡筒１２に対する撮像面６７の位置決めを極めて容易に行うことができ、レンズ鏡筒１０および撮像装置１００の製造コストを削減する上で有利となる。
（第５の実施の形態）
【００４５】
次に第５の実施の形態について説明する。
第５の実施の形態が第２の実施の形態、第３の実施の形態と異なるのは、位置決め部の構造である。
図３３は第５の実施の形態における固体撮像装置６０の斜視図である。なお、以下では、第１の実施の形態と同様な箇所、部材に同一の符号を付して説明する。
第１の実施の形態と同様に、収容凹部６４の開口６４０２はカバーガラス６８により閉塞され、撮像素子６６を封止している。
そして、パッケージ６２の４つの側面のうちの１つの側面に２本のノックピン９８（凸部）が突設されている。
第５の実施の形態では、パッケージ６２の側面に突設された２本のノックピン９８がパッケージ６２に対する撮像面６７の位置を特定する位置決め部９６を構成している。
このような第５の実施の形態によっても、第１の実施の形態と同様に、鏡筒１２に対して固体撮像装置６０を位置決めするに際して、パッケージ６２の２本のノックピン９８を利用することで、位置決めが容易になされ、言い換えると、鏡筒１２に対する撮像面６７の位置決めを極めて容易に行うことができ、レンズ鏡筒１０および撮像装置１００の製造コストを削減する上で有利となる。
なお、２本のノックピン９８に代え、位置決め部９６を凹部で形成するなど任意である。
【００４６】
なお、本実施の形態では、接着剤ＳとしてＵＶ硬化型接着剤を用いた場合について説明したが、接着剤の種類はＵＶ硬化型接着剤に限定されるものではなく従来公知の様々な接着剤を用いることができる。
また、本実施の形態においては、撮像装置としてデジタルスチルカメラを例示したが、本発明はビデオカメラやテレビカメラなど撮像装置に無論適用可能である。
【図面の簡単な説明】
【００４７】
【図１】固体撮像装置６０の分解斜視図である。
【図２】固体撮像装置６０が組み立てられた状態を示す斜視図である。
【図３】図３は固体撮像装置６０の撮像素子の平面図である。
【図４】図４（Ａ）〜（Ｃ）は固体撮像装置６０の組み立て説明図である。
【図５】図５は固体撮像装置６０にフレキシブル基板が接続された状態を示す斜視図である。
【図６】ホルダ４６の斜視図である。
【図７】ホルダ４６の上下を反転させた状態の斜視図である。
【図８】固体撮像装置６０がホルダ４６に取着された状態での断面図である。
【図９】図８のＡＡ線断面図である。
【図１０】固体撮像装置ユニット７２の斜視図である。
【図１１】撮像装置を前方から見た斜視図である。
【図１２】撮像装置の正面図である。
【図１３】撮像装置の背面図である。
【図１４】撮像装置の平面図である。
【図１５】撮像装置の制御系を示すブロック図である。
【図１６】レンズ鏡筒１０を前方から見た斜視図である。
【図１７】レンズ鏡筒１０を後方の下方から見た斜視図である。
【図１８】レンズ鏡筒１０の正面図である。
【図１９】レンズ鏡筒１０の背面図である。
【図２０】（Ａ）は図１７のＡ矢視図、（Ｂ）は図１７のＢ矢視図である。
【図２１】（Ｃ）は図１７のＣ矢視図、（Ｄ）は図１７のＤ矢視図である。
【図２２】図１５のＡＡ線断面図である。
【図２３】図１５のＢＢ線断面図である。
【図２４】レンズ鏡筒１０の一部の構成を示す分解斜視図である。
【図２５】レンズ鏡筒１０の残りの構成を示す分解斜視図である。
【図２６】ズーム用可動レンズ群１８、フォーカス用可動レンズ群２０の斜視図である。
【図２７】第２の実施の形態における固体撮像装置６０の分解斜視図である。
【図２８】第２の実施の形態における固体撮像装置６０の断面図である。
【図２９】第３の実施の形態における固体撮像装置６０の分解斜視図である。
【図３０】第３の実施の形態における固体撮像装置６０の断面図である。
【図３１】第４の実施の形態における固体撮像装置６０の分解斜視図である。
【図３２】第４の実施の形態における固体撮像装置６０の分解斜視図の断面図である。
【図３３】第５の実施の形態における固体撮像装置６０の斜視図である。
【符号の説明】
【００４８】
１０……レンズ鏡筒、６２……パッケージ、６２０２……上面、６４……収容凹部、６４０２……開口、６４０４……底部、６６……撮像素子、６７……撮像面、６８……カバーガラス、６８０２……上面、６８０４……下面、６０……固体撮像装置、１００撮像装置。
【図１】
2006262072.tif 000003
【図２】
2006262072.tif 000004
【図３】
2006262072.tif 000005
【図４】
2006262072.tif 000006
【図５】
2006262072.tif 000007
【図６】
2006262072.tif 000008
【図７】
2006262072.tif 000009
【図８】
2006262072.tif 000010
【図９】
2006262072.tif 000011
【図１０】
2006262072.tif 000012
【図１１】
2006262072.tif 000013
【図１２】
2006262072.tif 000014
【図１３】
2006262072.tif 000015
【図１４】
2006262072.tif 000016
【図１５】
2006262072.tif 000017
【図１６】
2006262072.tif 000018
【図１７】
2006262072.tif 000019
【図１８】
2006262072.tif 000020
【図１９】
2006262072.tif 000021
【図２０】
2006262072.tif 000022
【図２１】
2006262072.tif 000023
【図２２】
2006262072.tif 000024
【図２３】
2006262072.tif 000025
【図２４】
2006262072.tif 000026
【図２５】
2006262072.tif 000027
【図２６】
2006262072.tif 000028
【図２７】
2006262072.tif 000029
【図２８】
2006262072.tif 000030
【図２９】
2006262072.tif 000031
【図３０】
2006262072.tif 000032
【図３１】
2006262072.tif 000033
【図３２】
2006262072.tif 000034
【図３３】
2006262072.tif 000035